(57)【要約】 【課題】  外見上の見栄えが良く且つ蓋板が不用意に外れない蓋止め構造を提供すること。【解決手段】  断面コ字状の長尺部材３Ａの開口部３４を、当該開口部３４から長尺部材３Ａ内に嵌入した後にバネ復帰力によって抜け止め状態となったバネ板５に係止されている蓋板４で、閉蓋する形式の蓋止め構造において、バネ板５は断面略Ｕ字状又は略Ｖ字状に形成されていると共にその端部５２，５３側相互間が広がる方向に付勢されたものとしてあり、蓋板４の裏面側には開口が対向する一対の溝４３，４４を設けてあり、前記バネ板６の端部５２，５３が蓋板４の溝４３，４４に挿入される態様で係止されており、前記バネ板５の端部５２，５３が蓋板４の溝４３，４４から完全に抜けて非係止状態になるのを阻止する抜止部（邪魔板４５）を蓋板４の裏面に設けてある。【選択図面】  図３
2006089917.tif 000002
【特許請求の範囲】
【請求項１】
断面コ字状の長尺部材の開口部を、当該開口部から長尺部材内に嵌入した後にバネ復帰力によって抜け止め状態となったバネ板材に係止されている蓋板で、閉蓋する形式の蓋止め構造において、バネ板は断面略Ｕ字状又は略Ｖ字状に形成されていると共にその端部側相互間が広がる方向に付勢されたものとしてあり、蓋板の裏面側には開口が対向する一対の溝を設けてあり、前記バネ板の端部が蓋板の溝に挿入される態様で係止されており、前記バネ板の端部が蓋板の溝から完全に抜けて非係止状態になるのを阻止する抜止部を蓋板の裏面に設けてあることを特徴とする蓋止め構造。
【請求項２】
断面コ字状の長尺部材は金属製の押出型材であることを特徴とする請求項１記載の蓋止め構造。
【請求項３】
バネ板は、アルミ部材による押出型材であることを特徴とする請求項１又は２記載の蓋止め構造。
【発明の詳細な説明】
【技術分野】
【０００１】
この発明は、断面コ字状の長尺部材の開口部を塞ぐ蓋止め構造に関するものである。
【背景技術】
【０００２】
固定部に形成された嵌合孔に、蓋体に設けた弾性嵌着部を嵌入することにより、前記固定部に対して蓋体を取り付ける構造は既に存在している（例えば、特許文献１。）。
【０００３】
前記蓋体への弾性嵌着部の取り付けは、弾性嵌着部の上部に設けた鍔部と、前記鍔部と一体化された弾性変形可能な止め具とで蓋体を挟み込むようにして行われている。すなわち、前記止め具を弾性変形させた状態で上記嵌合孔を通過させ、止め具を弾性復帰させるのである。そして、弾性復帰した止め具が不用意に外れないようにすべく止め具にボルトを蓋板と平行にネジ対偶状態に貫通させてある
ところが、上記蓋止め構造では、蓋体が止め具を包み込まない板材で構成されている場合には、止め具やボルトが外部に突出しているので、見栄えが非常に悪いという問題がある。
【特許文献１】実開平６−３７０７０号
【発明の開示】
【発明が解決しようとする課題】
【０００４】
そこでこの発明では、外見上の見栄えが良く且つ蓋板が不用意に外れない蓋止め構造を提供することを課題とする。
【課題を解決するための手段】
【０００５】
（請求項１記載の発明）
この発明は、断面コ字状の長尺部材の開口部を、当該開口部から長尺部材内に嵌入した後にバネ復帰力によって抜け止め状態となったバネ板材に係止されている蓋板で、閉蓋する形式の蓋止め構造において、バネ板は断面略Ｕ字状又は略Ｖ字状に形成されていると共にその端部側相互間が広がる方向に付勢されたものとしてあり、蓋板の裏面側には開口が対向する一対の溝を設けてあり、前記バネ板の端部が蓋板の溝に挿入される態様で係止されており、前記バネ板の端部ガ蓋板の溝から完全に抜けて非係止状態になるのを阻止する抜止部を蓋板の裏面に設けてある。
（請求項２記載の発明）
この発明の蓋止め構造は、上記請求項１記載の発明に関し、断面コ字状の長尺部材は金属製の押出型材である。
（請求項３記載の発明）
この発明の蓋止め構造は、上記請求項１又は２記載の発明に関し、バネ板は、アルミ部材による押出型材である。
【発明の効果】
【０００６】
この発明の蓋止め構造によると、外見上の見栄えが良く且つ蓋板が不用意に外れない。
【発明を実施するための最良の形態】
【０００７】
以下にこの発明の蓋止め構造を実施するための最良の形態としての実施例について詳細に説明する。
【実施例１】
【０００８】
図１はこの発明の実施例１の蓋止め構造を、壁パネルの高さ調節構造に採用した断面図、図２は壁パネルの高さ調節構造の斜視図、図３は前記蓋止め構造を示す断面図、図４は前記蓋止め構造を構成するバネ板の斜視図、図５は前記蓋止め構造の部分拡大図を示している。
（壁パネルの高さ調節構造の基本的構成について）
この壁パネルの高さ調節構造は、図１や図２に示すように、基礎部材１に頭付ボルト２が鉛直姿勢で螺入され、壁パネルＰが載置される巾木３が前記頭付ボルト２で支えられ、頭付ボルト２の頭部の回転操作により巾木３を介して壁パネルＰが高さ調節できるようになっている。なお、この高さ調節構造では、図１や図２に示すように、巾木３に形成した開口部３４を介して頭部２０がレンチで回転操作できるようにしてあり、通常、開口部３４はバネ板５を介して蓋板４で閉じられている。
【０００９】
以下にこの高さ調節構造及びこれの蓋止め構造の構成部材について説明する。
（基礎部材１について）
基礎部材１は、図１や図２に示すように、上面開放の断面横コ字状に形成された主体１０と、前記主体１０の両上端部に長さ方向にすすみ対偶状態に設けられた板材１１とから構成されており、図１に示した正面視でほぼ正方形状に形成されている。
【００１０】
主体１０はアルミ押出型材であり、図１や図２に示すように、両方の上端部に相互に対向する溝部１２が形成されている。
【００１１】
板材１１は、図１に示すように、厚めのアルミ板材で構成された角形状の小片であり、その中央部には頭付ボルト２の雄ネジ２１がねじ込まれる雌ネジ１３を貫通形成してある。
【００１２】
そして、上記した主体１０の、一方の溝１２に板材１１の一縁側が、他方の溝１２に板材１１の他縁側が、それぞれ嵌入され、板材１１は溝１２，１２に案内されてすすみ対偶状態となっている。
【００１３】
なお、この主体１０の底には図示しない孔が形成されており、この孔を利用して基礎部材１は床面Ｆにボルト止め又はアンカー止めできるようにしてある。
（頭付ボルト２について）
頭付ボルト２は、図１に示すように、六角形状の頭部２０と、これに連設された雄ネジ２１とから構成されている。
【００１４】
ここで、この頭付ボルト２の頭部２０の真下には、図１に示すように、頭部２０の平面視形状よりもかなり大きい円形状のフランジ板２２を固着してある。
（巾木３について）
巾木３は、アルミ押出型材であり、図１や図２に示すように、天板３０、下板３１、背板３２から成る断面コ字状の長尺部材３Ａと、前記下板３２の前・後縁から垂設されたスカート板３３，３３とから構成されている。
【００１５】
下板３２は、図１に示すように、孔３５が形成されており、前記孔３５を介して上面側に頭部２０を回転可能に突出させてある。そして、この下板３２は、図１に示すように頭付ボルト２に固定したフランジ板２２により支えられている。
【００１６】
長尺部材３Ａには、図１に示すように、下板３１上の現れた頭部２９をスパナで回転操作するための開口部３４を形成してある。なお、この開口部３４は、図１や図３に示すように、天板１０から下方に突出するの垂下片１４の端部と下板３１から突出する立設片１５の端縁により形作られている。
（蓋板４について）
蓋板４は、アルミ押出型材であり、図１や図３に示すように開口部３４を閉蓋するものである。
【００１７】
蓋板４は、開口部３４の上端よりも少し上から開口部３４の下端よりも少し下までを覆うだけの高さ寸法にしてある板状の主体４０と、前記主体４０の裏面の上端部に設けられた断面Ｌ字部材４１（横片４１ａと垂下片４１ｂ）と、前記主体４０の裏面の下端部に設けられた断面Ｌ字部材４２（横片４２ａと立設片４２ｂ）とから構成されている。
【００１８】
ここで、この蓋板４では、図３に示すように、上記主体４０と垂下片４１ｂとの間には溝４３が、上記主体４０と立設片４２ｂとの間には溝４４が、形成され、前記溝４３と溝４４とは開口ガ相互に対向するようになっている。また、蓋板４で開口部３４を閉じた状態では、図３に示すように、垂下片４１ｂは上記垂下片１４と、立設片４２ｂは立設片１５と、それぞれ対面するようになっている。
【００１９】
また、この蓋板４には、図１、図３、図５に示すように、後述するバネ板５の端部５２，５３が溝４３及び溝４４から完全に抜けて、蓋板４に対してバネ板５が係止していない状態（非係止状態）になるのを阻止する邪魔板４５（抜止部）を主体４０の裏面側に設けてある。この邪魔板４５は、後述するバネ板５の主体５０を開口部３４から強制嵌入できるようにすべく、図３や図５の二点鎖線で示すように蓋板４に対してバネ板５が非係止状態となる直前でストッパーとして機能するように位置設定されていることが好ましい。
【００２０】
なお、蓋板４は、図１の二点鎖線に示すように、開口部３４を塞がない下方部分まで延長するようにしてもよい。
（バネ板５について）
バネ板５は、アルミ押出型材であり、図１、図３、図４に示すように、断面略Ｕ字状（断面略Ｖ字状）に形成されている主体５０と、前記主体５０の両端域に設けられたクリップ部５１，５１とから構成されていると共に、前記クリップ部５１，５１（端部側）相互間が開く方向に付勢されている。
【００２１】
ここで、図３や図５に示すように、このバネ板５は、クリップ部５１を構成する端縁部５２を蓋板４の溝４３に、端縁部５３を蓋板４の溝４４に、それぞれ挿入するようにして使用されるが、この状態において、一方のクリップ部５１は両垂下片１４，４１ｂ相互間の、他方のクリップ部５１は両立設片１５，４２ｂ相互間の、それぞれのガタ付きを阻止するようにしている。
【００２２】
これはクリップ部５１が以下の如く構成されているからである。
【００２３】
すなわち、バネ板５は図３の如き状態では、クリップ部５１，５１相互は離れる方向にバネ付勢力が発生している。そしてクリップ部５１はバネ板５の先端部を図３や図５に示すように、折り曲げて構成されているが、底面５４は左側から右側に向かって下方に傾斜している。
【００２４】
したがって、クリップ部５１，５１のバネ付勢力によりバネ板５は左側に移動して両垂下片１４，４１ｂ及び端縁部５３は圧接状態になり、これにより両垂下片１４，４１ｂ相互間のガタ付きは阻止される。両立設片１５，４２ｂ相互間も同様の原理でガタ付きは阻止される。
【００２５】
なお、クリップ部５１，５１は、両垂下片１４，４１ｂ及び両立設片１５，４２ｂを単に挟み込むものでもよい。
（この壁パネルの高さ調節構造の機能について）
この壁パネルの高さ調節構造では、施工現場において重い壁パネルＰの調節度に再度取り外すことなくスパナ（汎用の締め付け工具）のみで高さ調整できる。そして、被支持板３３から突出する頭部２０をスパナにより回すものであるから、回す途中においてスパナがボルト頭２０から外れにくく、作業性に優れている。
（この壁パネルの高さ調節構造に採用されている蓋止め構造の優れた機能について）
(1) 壁パネルＰの重量により巾木３の蓋板４側が多少変形した場合であっても、蓋板４の裏面側に設けられた邪魔板４５（抜止部）の存在により、バネ板５の端部５２，５３が蓋板４の溝４３，４４から完全に抜けて非係止状態になることはない。したがって、蓋板４が巾木３の長尺部材３Ａから不用意に外れるようなことはない。
(2) 蓋板４の表面には何も突出していないから、外観上の見栄えがよい。
(3) すなわち、この蓋止め構造は、外見上の見栄えが良く且つ蓋板が不用意に外れないという優れた機能を有することが明らかである。
（他の実施の形態）
上記実施例１は、本願発明の蓋止め構造を、壁パネルの高さ調節構造に採用したものであるが、この蓋止め構造は壁パネルの高さ調節構造以外の設備にも採用できることは言うまでもない。
【００２６】
上記実施例１では、バネ板５の端部が溝４３，４４から完全に抜けるのを阻止するために邪魔板４５を設けているが、同等の機能をするものであれば板材に限られるものではない。
【００２７】
上記実施例１では、横方向に延びる態様で配置された長尺部材３Ａの開口部３４に蓋板４を取り付けて閉蓋するものであるが、これに限定されず、縦方向に延びる態様で配置された長尺部材３Ａの開口部３４に蓋板４を取り付けて閉蓋する場合においても使用できる。
【図面の簡単な説明】
【００２８】
【図１】図１はこの発明の実施例１の蓋止め構造を壁パネルの高さ調節構造に採用した断面図。
【図２】前記壁パネルの高さ調節構造の斜視図。
【図３】前記蓋止め構造を示す断面図。
【図４】前記蓋止め構造を構成するバネ板の斜視図。
【図５】前記蓋止め構造の部分拡大図を示している。
【符号の説明】
【００２９】
３Ａ        長尺部材
３４        開口部                                                              ４          蓋板
５          バネ板
４３        溝
４４        溝
４５        邪魔板（抜止部）
５２        端部
５３        端部
【図１】
2006089917.tif 000003
【図２】
2006089917.tif 000004
【図３】
2006089917.tif 000005
【図４】
2006089917.tif 000006
【図５】
2006089917.tif 000007